【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
撮影レンズ群を介して被写体を撮像してその被写体像を光電変化させて出力する撮像素子と、
画像データが予め記録されているとともに、撮像素子からの画像信号を撮像処理した撮影画像が記録されるメモリと、
撮影画像が再生されて表示される表示手段と、
メモリに予め記録された画像データの画像を表示手段に擬似の被写体として再生、表示し、当該撮像装置に操作が加えられると、その操作を判定して判定結果に基づいて画像データの再生画像を変更して表示手段に表示するように制御する制御手段と、
を有する制御装置。
【請求項２】
メモリに予め記録された画像データの画像を動画像として表示手段に再生、表示し、
制御手段は、動画を継続しながら当該撮像装置に加えられた操作に対応して動画から疑似的に得られた静止画を表示手段に表示する請求項１記載の撮像装置。
【請求項３】
制御手段は、当該操作のもとで疑似的に得られた静止画をメモリに予め記録された画像データの対応する静止画とともに表示手段に表示する請求項２記載の撮像装置。
【請求項４】
制御手段は、当該撮像装置に加えられた操作がズーム、ピント合わせ、ストロボのいずれかであるとき、その操作のタイミングを判定して判定結果を表示手段に表示する請求項２または３記載の撮像装置。
【請求項５】
制御手段は、判定結果を採点して採点結果を表示手段に表示する請求項４記載の撮像装置。
【手続補正２】
【補正対象書類名】明細書
【補正対象項目名】０００３
【補正方法】変更
【補正の内容】
【０００３】
そのため、自宅などから撮影場所に至るまでの時間、または、撮影場所から自宅などに戻る時間をユーザが有効にすごすための工夫の施された撮像装置も提供されている。
たとえば、特開平０６−３０８５６２号公報には、ブレ練習モードを備え、ブレ練習モードにおいては、セカンドレリーズにおける手ブレ量をＬＣＤなどの液晶ディスプレイに表示するカメラが開示されている。
また、ブレ、ピンぼけ、露出不足、色かぶりなど補正の必要な現象を予め設定し、撮影した画像が予め設定した条件を充足するかを判定し、自動的に採点してユーザに画像補正の必要性の判断をアシストする構成が特開２００５−０３９５４１号公報に開示されている。
撮影条件に対応したアイコンをディスプレーに表示するとともに、アイコンに対応した撮影アドバイスをディスプレー上の吹き出しに表示する構成が特開２０００−３３３０４５号公報に開示されている。たとえば、集合写真のアイコンにおいては、端にいる人物の顔が欠ける「顔欠け」に注意するような撮影アドバイスが吹き出しに表示されるとともに、矢印が画面の左右及び上に表示、点滅されている。
また、撮影された画像データから主要被写体を検出し、主要被写体が黄金分割に基づいた黄金ポイントなどの所定領域に位置するかを評価し、その評価結果を点数化して表示する構成が、特開２００３−２９８８８２号公報に開示されており、他人の撮影した画像データの得点と比較して勝ち負けを争うこともできる。撮影した画像を利用してゲームを楽しむ構成は、特開２００１−１７７７９９号公報にも開示されており、撮影した自画像を１６分割してスライドゲーム（１５パズル）や、顔を構成する目、鼻、口などの部分画像を取り除いて、自画像を復元する福笑いゲームなどについて述べている。
【特許文献１】特開平０６−３０８５６２号公報
【特許文献２】特開２００５−０３９５４１号公報
【特許文献３】特開２０００−３３３０４５号公報
【特許文献４】特開２００３−２９８８８２号公報
【特許文献５】特開２００１−１７７７９９号公報
【手続補正３】
【補正対象書類名】明細書
【補正対象項目名】０００５
【補正方法】変更
【補正の内容】
【０００５】
請求項１記載の本発明によれば、撮影レンズ群を介して被写体を撮像してその被写体像を光電変化させて出力する撮像素子と、画像データが予め記録されているとともに、撮像素子からの画像信号を撮像処理した撮影画像が記録されるメモリと、撮影画像が再生されて表示される表示される表示手段と、メモリに予め記録された画像データの画像を表示手段に擬似の被写体として再生、表示し、当該撮像装置に操作が加えられると、その操作を判定して判定結果に基づいて画像データの再生画像を変更して表示手段に表示するように制御する制御手段とを有している。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
請求項１記載の本発明では、撮影時以外も撮影用機能を利用して撮影テクニックを習得できる。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００２０
【補正方法】変更
【補正の内容】
【００２０】
つまり、画像データ４０が擬似の被写体として液晶ディスプレイ２２に表示され、バーチャル感覚で撮影が経験できる。もちろん、画像データ４０のすべてが液晶ディスプレイ２２に表示されているのでなく、画像データの一部がカメラ１０の構えに対応した擬似の撮影領域（撮影範囲）として再生、表示されているにすぎない。そして、カメラ１０が動かされると、カメラの動きに対応して液晶ディスプレイ２２上の擬似の被写体（画像データの一部）の擬似の撮影領域が変更されて液晶ディスプレイに表示される。いうまでもなく、このような擬似の撮影範囲の変更はＣＰＵ３４の制御のもとでなされる。
【手続補正１２】
【補正対象書類名】明細書
【補正対象項目名】００４３
【補正方法】変更
【補正の内容】
【００４３】
Ｓ６５でメニューキー３６ｃ、決定キー３６ｄを操作してユーザが枠（コマ）を選択すると、ユーザの選択に応じて第１の選択画像がＳ７１で図１４（Ｂ）のように表示され、Ｓ７２で時計回路３２の計時が開始される。Ｓ７３でユーザが２回目の選択を行ない、その選択に応じてＳ７４で第２の選択画像が表示される。表示された第１、第２の選択画像が同一であるかどうかがＳ７６で判定され、同一であれば（ペア画像であれば）、Ｓ７７でこれらペア画像を継続して表示して選択候補から外す。
【手続補正１３】
【補正対象書類名】明細書
【補正対象項目名】００４７
【補正方法】変更
【補正の内容】
【００４７】
図１６は宝探しゲームの一例を示し、液晶ディスプレイ２２の分割された１６のコマのうち、１枚が良好な撮影画像であり、他の１５枚の画像は外れ画像として別の画像を用意しておく。例えば、図３の練習モードで失敗した画像をメモリ２４に記録してこれを外れ画像として利用してもよい。
最初、１６のコマの画像はいずれも表示されておらず、ユーザがメニューキー３６ｃ、決定キー３６ｄで選択して決定すると、その画像のみが図１６（Ａ）に示すように表示される。そして、正しい撮影画像が表示されれば、図１６（Ｂ）に示すように、拡大表示して正解と表示し、それまでに要した時間を同時に表示すれば、所要時間を競うゲームが楽しめる。また、正しい撮影画像でなく、外れ画像が選択されて表示された場合には、「ＮＧ」が表示される。なお、ゲームが終わるごとに１６枚の画像の位置がランダムに変更されることはいうまでもない。
【手続補正１４】
【補正対象書類名】明細書
【補正対象項目名】００４８
【補正方法】変更
【補正の内容】
【００４８】
図１７はジグソーパズルの一例を示し、図３の練習モードで撮影して高得点となった撮影画像の１つを、一般のジグソーパズルと同様に、所定の切り離しパターンでピース状に裁断し、液晶ディスプレイの左側にランダムに置いて表示する。ユーザは左側に置かれたピースをメニューキー３６ｃ、決定キー３６ｄを操作し選択して右側の画面に並べていく。そして、図１７(Ｂ)のように所定の撮影画像が完成するまでの時間を計時して表示すれば、その所要時間を争うゲームとして楽しめる。このジグソーパズルのゲームでは、ピースの画像を注意深く観察して頭の体操になるほか、ピースの画像を良く見て相互の相違を認識するよい練習となる。
【手続補正１５】
【補正対象書類名】明細書
【補正対象項目名】００５２
【補正方法】変更
【補正の内容】
【００５２】
Ｓ１１１で「ジグソーパズル」を選択すれば、Ｓ１１２で撮影画像の中から１枚を選択し、Ｓ１１３でこれを所定のジグソーパターンで裁断してジグソーのピースとし、図１７（Ａ）に示すように、左右に２分割された液晶ディスプレイ２２の左画面にランダムに配置して表示する（Ｓ１１４）。この状態からＳ１１５で計時を開始し、メニューキー３６ｃや決定キー３６ｄをユーザが操作してピースを選択して左画面から右画面に移動させて画像表示する（Ｓ１１６）。ピースの選択、移動を繰り返し、この操作が終わる毎にＳ１１７ですべてのピースが所定の位置に収まったか否かが判定され、図１７（Ｂ）に示すような画像が完成するまでの時間が計時され、計時結果が採点されてその得点が表示される（Ｓ１０９）。